(57)【要約】【課題】  燃焼機器の運転状態の変化に対し、応答性よく還元剤量を制御し、脱硝率の安定とリークアンモニアの防止を図ることができる燃焼機器の脱硝装置を提供する。【解決手段】  燃焼機器からの排ガスに、窒素酸化物の還元剤を注入する還元剤注入器４と、この還元剤注入器４により還元剤が注入された排ガスが通され、その排ガス中の窒素酸化物の還元を図る脱硝触媒を有する脱硝反応器３と、この脱硝反応器３を通過した排ガス中の窒素酸化物濃度を検出するＮＯxセンサ６と、還元剤注入器４による注入量を可変制御する制御手段５とを備えている。この制御手段５は、燃焼機器の運転状態に基づき求められる基本注入量に粗補正係数Ｋ１を乗算して粗補正注入量を求め、この粗補正注入量に基づき還元剤注入器４による還元剤の注入量を制御すると共に、ＮＯxセンサ６により検出される窒素酸化物濃度に基づき粗補正注入量を微調整する微調整係数Ｋ2を許容範囲内に収めるように修正する。【選択図】  図１
2007330836.tif 000002
【特許請求の範囲】
【請求項１】
燃焼機器からの排ガスに、窒素酸化物の還元剤を注入する還元剤注入器と、
この還元剤注入器により還元剤が注入された排ガスが通され、その排ガス中の窒素酸化物の還元を図る脱硝触媒を有する脱硝反応器と、
この脱硝反応器を通過した排ガス中の窒素酸化物濃度を検出するＮＯxセンサと、
前記燃焼機器の運転状態に基づき求められる基本注入量に粗補正係数を乗算して粗補正注入量を求め、この粗補正注入量に基づき前記還元剤注入器による還元剤の注入量を制御すると共に、前記ＮＯxセンサにより検出される窒素酸化物濃度に基づき前記粗補正注入量を微調整する微調整係数を許容範囲内に収めるよう前記粗補正係数を修正する制御手段と
を備えることを特徴とする燃焼機器の脱硝装置。
【請求項２】
前記制御手段は、前記ＮＯxセンサにより検出される窒素酸化物濃度に基づき、窒素酸化物濃度を減少させるよう前記粗補正注入量に前記微調整係数を乗算して最適注入量を求め、この最適注入量を注入するよう前記還元剤注入器による還元剤の注入量を制御する
ことを特徴とする請求項１に記載の燃焼機器の脱硝装置。
【発明の詳細な説明】
【技術分野】
【０００１】
本発明は、例えば発電用の燃焼機器に適用され、アンモニアまたは尿素を還元剤として用いつつ、排ガス中の窒素酸化物の還元を図る脱硝装置に関するものである。
【背景技術】
【０００２】
下記特許文献１に開示されるように、発電機の発電量に応じて定められる還元剤注入量を、排ガスの窒素酸化物濃度または排ガス流量にて補正するコジェネレーションシステムが提案されている。
【特許文献１】特開２００５−１３３６２８号公報
【発明の開示】
【発明が解決しようとする課題】
【０００３】
しかしながら、燃焼機器（エンジン）からの排ガス中の窒素酸化物濃度は、季節や天候などに左右される。そして、窒素酸化物濃度が変動すると、還元剤の量に過不足を生じ、脱硝率の低下またはリークアンモニアの増加を招くおそれがあった。
【０００４】
本発明が解決しようとする課題は、季節や天候などの環境変化に対応可能な脱硝装置を提供することにある。
【課題を解決するための手段】
【０００５】
本発明は、前記課題を解決するためになされたもので、請求項１に記載の発明は、燃焼機器からの排ガスに、窒素酸化物の還元剤を注入する還元剤注入器と、この還元剤注入器により還元剤が注入された排ガスが通され、その排ガス中の窒素酸化物の還元を図る脱硝触媒を有する脱硝反応器と、この脱硝反応器を通過した排ガス中の窒素酸化物濃度を検出するＮＯxセンサと、前記燃焼機器の運転状態に基づき求められる基本注入量に粗補正係数を乗算して粗補正注入量を求め、この粗補正注入量に基づき前記還元剤注入器による還元剤の注入量を制御すると共に、前記ＮＯxセンサにより検出される窒素酸化物濃度に基づき前記粗補正注入量を微調整する微調整係数を許容範囲内に収めるよう前記粗補正係数を修正する制御手段とを備えることを特徴とする燃焼機器の脱硝装置である。
【０００６】
燃焼機器の運転状態に対応する還元剤注入量は、季節変動や天候などにより変化するが、請求項１に記載の発明によれば、そのような変化を粗補正係数にて吸収することができる。これにより、脱硝率を安定させ、またリークアンモニアの増加を抑制することができる。
【０００７】
さらに、請求項２に記載の発明は、前記制御手段は、前記ＮＯxセンサにより検出される窒素酸化物濃度に基づき、窒素酸化物濃度を減少させるよう前記粗補正注入量に前記微調整係数を乗算して最適注入量を求め、この最適注入量を注入するよう前記還元剤注入器による還元剤の注入量を制御することを特徴とする請求項１に記載の燃焼機器の脱硝装置である。
【０００８】
請求項２に記載の発明によれば、粗補正係数による粗補正注入量を、窒素酸化物濃度に基づき補正することで、一層安定した確実で適正な脱硝を図ることができる。
【発明の効果】
【０００９】
本発明にかかる燃焼機器の脱硝装置によれば、粗補正係数を補正することにより、季節や天候などの環境変化に伴う還元剤注入量の変化を補正して、適正なフィードフォワード量を得ることができる。これにより、応答性のよい制御で、脱硝率を安定させ、またリークアンモニアの増加を抑制することができる。
【発明を実施するための最良の形態】
【００１０】
次に、本発明の実施の形態について説明する。
本実施形態の脱硝装置は、燃焼機器からの排ガスに、窒素酸化物の還元剤を注入する還元剤注入器と、この還元剤注入器により還元剤が注入された排ガスが通され、その排ガス中の窒素酸化物の還元を図る脱硝触媒を有する脱硝反応器と、この脱硝反応器を通過した排ガス中の窒素酸化物濃度を検出するＮＯxセンサと、前記燃焼機の運転状態に応じて求められる基本注入量に粗補正係数を乗算して粗補正注入量を求め、この粗補正注入量に基づき前記還元剤注入器による還元剤の注入量を制御すると共に、前記ＮＯxセンサにより検出される窒素酸化物濃度に基づき前記粗補正注入量を微調整する微調整係数を許容範囲内に収めるよう前記粗補正係数を修正する制御手段とを備えている。
【００１１】
前記燃焼機器は、通常のボイラや、発生させた蒸気によりタービンを回して発電する発電機に装備されるものに適用される。特に、季節変動により排出されるＮＯｘ濃度変化が比較的大きいエンジンを燃焼機器として有するもの、例えばガスタービンやディーゼルエンジンなどの燃焼機器に好適に適用される。
【００１２】
前記燃焼機器には、その排ガスを大気に放出するための配管が接続され、この配管の下流側に前記脱硝反応器が接続されるとともに、前記配管の途中に還元剤注入器が配置される。そして、前記燃焼機器から排出される排ガスに前記注入器から還元剤が注入され、この還元剤が前記脱硝反応器において排ガス中のＮＯｘと反応し、ＮＯｘが窒素と水に分解されて無害化される。前記還元剤としては、例えば尿素水、アンモニア、重炭酸アンモニウムなどが好適に用いられる。また、前記脱硝反応器に装填される脱硝触媒としては、例えばバナジウム、タングステン系のものが好適に用いられる。これらの脱硝触媒は、前記還元剤と排ガス中のＮＯｘとの反応を促進できる。
【００１３】
前記還元剤注入器としては、例えばストローク式のポンプが用いられ、このポンプの吐出側先端にノズルを取り付けて、このノズルから還元剤を前記排ガスに注入する。この還元剤の注入量の制御は、前記ポンプのストローク数を制御して行う。
【００１４】
前記脱硝反応器の出口側には、これを通過した排ガス中の窒素酸化物を検出するＮＯｘセンサを設ける。そして、前記制御手段は、燃焼機器の運転状態に基づき求められる還元剤の基本注入量に所定の粗補正係数を乗算して粗補正注入量を求め、この粗補正注入量に基づき前記還元剤注入器による還元剤を注入する機能を具備している。例えば発電機に装備される燃焼機器の場合、その発電機で発生するＮＯｘ量は、発電量をパラメータとする所定の関数マップにより求められ、基本的には、この関数マップに基づき還元剤の基本注入量が決定される。このとき、前記ＮＯｘセンサにより検出される窒素酸化物の濃度に基づいて粗補正係数が求められ、この粗補正係数がフィードバック値とされて前記関数マップによる基本注入量つまりフィードフォワード値に乗算され、前記注入器による還元剤の注入量が調整される。さらに詳述すると、前記発電機に吸入される空気の温,湿度が変化すると、発電機で発生するＮＯｘ量も変化する。このため、前記ＮＯｘセンサで前記脱硝反応器から排出される実際のＮＯｘ量を検出し、その量の変化に対応した粗補正係数を求め、この粗補正係数に基づき前記マップの基本注入量を調整する。そして、後述の前記ＮＯｘセンサによるフィードバック制御を開始するまでは、前記粗補正係数で調整された粗補正注入量を注入する。
【００１５】
前記脱硝反応器の出口側には、これを通過した排ガス中の窒素酸化物を検出するＮＯｘセンサを設ける。そして、前記制御手段は、前記燃焼機器の運転状態に応じて求められる還元剤の基本注入量に所定の粗補正係数を乗算して粗補正注入量を求め、この粗補正注入量に基づき前記還元剤注入器による還元剤を注入する機能を具備している。例えば発電機に装備される燃焼機器の場合、ここで発生するＮＯｘ量は、発電機の発電量をパラメータとする所定の関数マップにより求められ、基本的には、この関数マップに基づき還元剤の基本注入量が決定される。このとき、前記ＮＯｘセンサにより検出される窒素酸化物の濃度に基づいて粗補正係数が求められ、この粗補正係数が前記関数マップによる基本注入量つまりフィードフォワード値に乗算され、前記注入器による還元剤の注入量が調整される。さらに詳述すると、前記発電機に吸入される空気の温度や湿度が変化すると、発電機で発生するＮＯｘ量も変化する。このため、前記ＮＯｘセンサで前記脱硝反応器から排出される実際のＮＯｘ量を検出し、その量の変化に対応した粗補正係数を求め、この粗補正係数に基づき前記マップの基本注入量を調整する。そして、後述の前記ＮＯｘセンサによるフィードバック制御を開始するまでは、前記粗補正係数で調整された粗補正注入量を注入する。
【００１６】
さらに、前記制御手段には、前記ＮＯxセンサにより検出されるＮＯｘ濃度に基づき前記粗補正注入量を微調整する微調整係数を許容範囲内に収めるよう前記粗補正係数を修正する機能も具備している。つまり、還元剤の注入量制御を行っているとき、微調整係数が所定の許容値を超えると、前記ＮＯｘセンサからのフィードバック信号で前記関数マップを増方向に、また、許容値以下になると関数マップを減方向に微調整係数が許容範囲内に収まるように前記租補正係数を調整する。これにより、さらに安定した脱硝率が確保され、かつ、リークアンモニアが確実に防止される。
【実施例１】
【００１７】
以下、本発明にかかる脱硝装置の具体例を図面に基づいて説明する。図１は本発明の一実施形態にかかる脱硝装置の制御回路図である。この図の実施例では、ＮＯｘの排出源となる燃焼機器を備えた発電機１と、この発電機１から延びる配管２に接続され、内部に例えばバナジウム系の脱硝触媒が装填された脱硝反応器３と、配管２における発電機１の下流側に配置され、配管２内を通る排ガスに、これに含まれるＮＯｘを還元する例えば尿素水(還元剤)を注入する噴霧ノズル４１を備えたポンプからなる還元剤注入器４と、この注入器４による還元剤の注入量を制御する制御手段５と、配管２における脱硝反応器３の出口側に設けられ、この反応器３を通過した排ガス中に含まれるＮＯｘを検出する例えばジルコニア式のＮＯｘセンサ６とを備えている。このＮＯｘセンサ６は、センサユニット６１と検出部６２とからなる。
【００１８】
制御手段５には、ＮＯｘセンサ６により検出されるＮＯｘの濃度変化に基づき粗補正係数Ｋ1を演算して実際のＮＯｘ濃度に対応した粗補正注入量を計出する粗補正演算回路７と、ＮＯｘセンサ６で検出されるＮＯｘ値をフィードバックして、ＮＯｘ値を減少させる新たな微調整係数Ｋ2を演算して計出する微調整演算回路８とが接続され、粗補正演算回路７と微調整演算回路８で得られる粗補正係数Ｋ1と微調整係数Ｋ2に基づく制御手段５からの出力によりＰＩＤ制御運転を行う。つまり、微調整演算回路８で計出された微調整係数Ｋ2を粗補正演算回路７で計出された粗補正係数Ｋ1に乗算して最適な注入量を求め、この注入量で還元剤を注入して脱硝を行う。
【００１９】
図１の実施形態では、制御手段５の補正加算回路５２に、発電機１の出力部１０からの信号を微分(ｄｐ／ｄｔ)して、このｄｐ／ｄｔ値が規定値以上か以下かを判定して、その判定に基づき補正値Ｋ0を演算計出して出力する出力変化割合演算回路５１が接続されている。そして、補正加算回路５２において、出力変化割合演算回路５１による補正値Ｋ0を発電機１の発電量に応じて予め定められた関数マップＭの基本注入量に加減算して、この基本注入量を調整し、この調整された注入量をフィードフォワード値として注入量の制御を行っている。
【００２０】
以上の構成とした脱硝装置による脱硝作用を図２に示すフローチャート図に基づいて説明する。発電機１による発電時に基本的には、ステップＳＴ１において、横軸に発電機１の発電量を縦軸に還元剤の注入量ｘをとった関数マップＭを用い、この関数マップＭに基づき注入器として用いたストローク式ポンプが回転制御され、その回転制御によりノズル４１からの還元剤の注入量が可変制御される(ステップＳＴ５)。ポンプの回転制御は、４〜２０ｍＡの電流値に変換された電気信号によりストローク数を比例制御して行う。また、ポンプは、オートＡとマニュアルＭに切換可能とされており、例えば設定変更時や試験点検時などにはマニュアル運転が、通常時にはオート運転が行われる。
【００２１】
また、発電時には、ステップＳＴ２において、発電機１の出力変化の割合(ｄｐ／ｄｔ)が検知され、その変化に基づき出力変化割合演算回路５１で補正値Ｋ0が演算計出されて、この補正値Ｋ0により関数マップＭの注入量ｘが補正され、この補正された注入量（＝ｘ+Ｋ0）に基づきノズル４１からの還元剤の注入量が可変制御される。
【００２２】
さらに、ステップＳＴ３において、粗補正演算回路７でＮＯｘセンサ６により検出されるＮＯｘの濃度に基づき粗補正係数Ｋ1が計出される。そして、制御手段５において粗補正係数Ｋ1が補正値Ｋ0による補正注入量（＝ｘ+Ｋ0）に乗算され、この乗算された注入量（＝（ｘ+Ｋ0）×Ｋ1）が注入される。
【００２３】
ステップＳＴ３での注入量制御は、発電機の負荷が一定以上になって負荷が安定するまで行われる。この後、ステップＳＴ４において、前記補正注入量（＝（ｘ十Ｋ０）×Ｋ１）に微調整演算回路８により計出される微調整係数K2が乗算されて、微調整係数K2に基づく制御手段５からの出力により注入制御が行われる。
【００２４】
ここで、従来からフィードフォワード制御とフィードバック制御とを組み合わせた制御が知られているが、関数マップＭのような固定値によるフィードフォワード制御では、発電機の負荷変動に対応できるものの、季節や天候などの環境変化に対応できない。フィードバック制御では、環境変化に対応できるが、発電機の起動時から発電機の負荷変動がない一定以上の負荷になるまでの間は、適正なフィードバック値が得られなかった。すなわち、還元剤を注入してから還元剤によるＮＯｘの低減効果がＮＯｘセンサ６により検出されるまでに遅れ（応答遅れ）が生じるので、この応答遅れの間は、適正なフィードバック値が得られない。そこで、この実施例では、微調整係数Ｋ２（フィードバック値）が許容範囲から外れると、微調整係数Ｋ２を許容範囲内に収めるように粗補正係数Ｋ１を調整することで、前記応答遅れの間の粗補正係数Ｋ１を適正な値とし、前記応答遅れの間の環境変化に対応できる制御を実現させている。
【００２５】
図３はＮＯｘセンサ６による微調整係数Ｋ２により粗補正係数Ｋ１を調整するときの説明図である。この図では、微調整係数Ｋ２の上限を２．０、下限を０．０、基準規定値を１．０としたとき、微調整係数Ｋ２が０，９５よりも小さい領域では、関数マップＭを減方向に補正するように粗補正係数Ｋ１を調整し、また、微調整係数Ｋ２が１，０５より大きい領域では、関数マップＭを増方向に補正するように粗補正係数Ｋ１を調整する。すなわち、微調整係数Ｋ２が０．９５から１，０５の許容範囲内に収まるように粗補正係数Ｋ１の調整が行われる。ここで粗補正係数Ｋ１は、０．０から２，０の範囲の値であり、粗補正係数Ｋ１の調整に際しては、例えば０．００２／分の割合で行う。
【００２６】
図４は微調整演算回路８により注入量制御を行うときの説明図である。ＮＯｘセンサ６による検出値が微調整演算回路８に入力され、ここで計出された微調整係数Ｋ2が制御手段５に入力されて、この微調整係数Ｋ2に基づく注入量がノズル４１から排ガスに注入される。ただし、注入開始から脱硝反応器３での脱硝反応が安定するＸ分間を経過するまでは基準規定値1.0に相当する量が注入され、Ｘ分を経過した後に微調整演算回路８による微調整係数Ｋ2に基づいての還元剤の注入が行われる。このとき、発電機１による発電負荷が規定値以上に変動したとき、または、保守点検を行っているような場合でＮＯｘセンサ６による検出値によってフィードバック制御を行うには不適切なときには、その直前のＮＯｘ値に基づく微調整係数Ｋ２がホールド回路９によりホールドされて、このホールド回路９に基づき注入量の制御が行われる。
【図面の簡単な説明】
【００２７】
【図１】本発明にかかる脱硝装置の一つの実施例を示す制御回路図である。
【図２】本発明の脱硝装置による脱硝作用を説明するフローチャート図である。
【図３】ＮＯｘセンサからのフィードバック値に基づき粗補正係数を調整するときの説明図である。
【図４】粗補正演算回路により注入量制御を行うときの説明図である。
【符号の説明】
【００２８】
３  脱硝反応器
４  還元剤注入器
５  制御手段
６  ＮＯｘセンサ
Ｋ１  粗補正係数
Ｋ２  微調整係数
【図１】
2007330836.tif 000003
【図２】
2007330836.tif 000004
【図３】
2007330836.tif 000005
【図４】
2007330836.tif 000006